(57)【特許請求の範囲】
【請求項１】
パチンコ球払出装置から払い出されたパチンコ球を打球供給皿へ導くと共に、該打球供給皿からオーバーフローするパチンコ球を下部球受皿へ導く垂直球通路を備えてなるパチンコ機において、
前記垂直球通路の底部は、該垂直球通路を落下するパチンコ球を直接的に受ける第１の底部と、
前記下部球受皿の球出口に連なる第２の底部とを段差状に設けて構成し、
前記第１の底部に金属板を装着し、前記第２の底部上面を山形状に形成したことを特徴とするパチンコ機。
【発明の詳細な説明】
【０００１】
【発明の属する技術分野】
本発明は、パチンコ球払出装置から払い出されたパチンコ球を打球供給皿へ導くと共に、該打球供給皿にパチンコ球が充満すると球通路を介して下部球受皿へ導くようにしたパチンコ機に関するものである。
【０００２】
【従来の技術】
従来、周知のようにパチンコ機の前面枠の前面には打球供給皿と下部球受皿が上下に設けられており、パチンコ球払出装置から払い出されたパチンコ球を打球供給皿へ導くと共に、該打球供給皿にパチンコ球が充満すると球通路を介して下部球受皿へオーバーフローさせるようになっている。
【０００３】
上記した従来のパチンコ機は、打球供給皿と下部球受皿とを連絡する球通路が垂直状に形成されているため、球通路の底部に落下したパチンコ球が下部球受皿へ勢いよく流れ出て該下部球受皿から外へ飛び出してしまうようなことが頻繁にあり、遊技客に迷惑を及ぼしていた。
【０００４】
本発明は、上記した問題点に鑑みてなされたもので、その目的とするところは、打球供給皿からオーバーフローして下部球受皿に流れ出るパチンコ球の流勢を緩和することにより、該パチンコ球が下部球受皿の外へ飛び出すことのないようなパチンコ機を提供することにある。
【０００５】
【課題を解決するための手段】
上記した目的を達成するために、本発明は、パチンコ球払出装置から払い出されたパチンコ球を打球供給皿へ導くと共に、該打球供給皿からオーバーフローするパチンコ球を下部球受皿へ導く球通路を備えてなるパチンコ機において、前記下部球受皿の球出口に連なる球通路の底部上面を中央を高くした山形状に形成し、それによって球通路を落下して下部球受皿に流れ出るパチンコ球の流勢を緩和するようにしたものである。
【０００６】
前記球通路の底部は、該球通路を落下するパチンコ球を直接的に受ける第１の底部と、下部球受皿の球出口に連なる第２の底部とを段差状に設けて構成し、該第２の底部上面を山形状に形成するのが好ましい。
【０００７】
また、前記第１の底部の内側にはパチンコ球の落下による摩耗や破損を防ぐために金属板を取付けるのが好ましい。
【０００８】
上記のように構成されたパチンコ機においては、打球供給皿からオーバーフローして球通路を落下するパチンコ球は山形状に形成された底部によって流出方向が左右横方向に変更されることになる。このため、球出口から下部球受皿に流れ出るパチンコ球の流勢が緩和されることになるため、下部球受皿に流れ出るパチンコ球が勢いあまって外へ飛び出すようなことがなくなる。
【０００９】
【発明の実施の形態】
次に、本発明の一実施の形態について図面を参照して説明する。図１は本発明が適用されるパチンコ機の正面図、図２は図１のパチンコ機の裏面図である。図１において、パチンコ機１は、機枠２の前面に前面枠３を開閉自在に装着している。前面枠３の前面には、ガラス枠４が開閉自在に装着される。また、前面枠３の下方には後述するパチンコ球払出装置１４から払い出されたパチンコ球を貯留し、かつ発射位置にパチンコ球を誘導する打球供給皿５及び該打球供給皿５に充満してオーバーフローするパチンコ球を貯留する下部球受皿６や発射位置から発射されるパチンコ球の弾発力を調節する操作ハンドル７が設けられている。
【００１０】
一方、図２において、前面枠３の裏面には合成樹脂製の遊技盤取付枠８が固着されている。遊技盤取付枠８には遊技盤９が着脱自在に装着される。遊技盤９の裏面には合成樹脂製の機構板１０が開閉自在に装着されている。機構板１０の裏面上部には球タンク１１が固着される。球タンク１１の下方には、該球タンク１１に貯留されるパチンコ球を整列して導き出すタンクレール１２が設けられる。タンクレール１２の下流端は球圧を弱めるためのカーブレール１３を介してパチンコ球払出装置１４に接続されている。したがって、球タンク１１のパチンコ球はタンクレール１２及びカーブレール１３により整列されながらパチンコ球払出装置１４に導かれる。
【００１１】
前記パチンコ球払出装置１４の下方には球通路１５が設けられる。この球通路１５は、パチンコ球払出装置１４から払い出されたパチンコ球を誘導開口１６から前記打球供給皿５に導く排出通路部１５ａと、打球供給皿５にパチンコ球が充満して誘導開口１６の一側からオーバーフローする余剰のパチンコ球を下部球受皿６に誘導する垂直通路部１５ｂによって構成される。この垂直通路部１５ｂの底部１７は機構板１０から分離して形成されており、前記前面枠３の裏面下方に固着されている。
【００１２】
前記、球通路１５の底部１７は、本実施の形態では図４ないし図６に示すように垂直通路部１５ｂを落下するパチンコ球を直接的に受ける第１の底部１７ａと、該第１の底部１７ａから流れ落ちるパチンコ球を前面枠３に開設された球出口１８から下部球受皿６に誘導する第２の底部１７ｂとを段差状に設けて構成されている。
【００１３】
しかして、本発明では、前記下部球受皿６の球出口１８に連なる球通路１５の第２の底部１７ｂ上面が中央を高くした山形状に形成されており、この山形形状によって第１の底部１７ａから流れ落ちるパチンコ球の流出方向を中央から左右横方向に向けて変更させるようになっている。なお、前記第１の底部１７ａの内側には金属板１９が取付けられており、落下するパチンコ球によって第１の底部１７ａ上面が摩耗したり破損しないように保護している。
【００１４】
本発明は上記のように構成されており、パチンコ球払出装置１４から払い出されたパチンコ球は球通路１５の排出通路部１５ａに落下して誘導開口１６から打球供給皿５に導かれる。一方、打球供給皿５にパチンコ球が充満するとその余剰球が誘導開口１６の一側からオーバーフローして垂直通路部１５ｂに導かれる。そして、垂直通路部１５ｂを落下するパチンコ球は第１の底部１７ａに受けられた後、第２の底部１７ｂに流れ落ちて球出口１８から下部球受皿６に流れ出る。この際に第１の底部１７ａから第２の底部１７ｂに流れ落ちるパチンコ球は該第２の底部１７ｂ上面の山形形状によって流出方向が中央から左右横方向に変更されることになり、これによって球出口１８から下部球受皿６に流れ出るパチンコ球の流勢が著しく緩和されることになる。このため、打球供給皿５からオーバーフローして下部球受皿６に導かれるパチンコ球が勢いあまって該下部球受皿６の外へ飛び出すようなことが全くなくなる。
【００１５】
【発明の効果】
以上、説明したところから明らかなように、本発明に係るパチンコ機は、打球供給皿からオーバーフローして下部球受皿に流れ出るパチンコ球を山形状に形成した球通路の底部で受けるようにしてパチンコ球の流出方向を左右横方向に変更させるようにしたので、下部球受皿に流れ出るパチンコ球の流勢を著しく緩和することができ、下部球受皿に流れ出るパチンコ球が勢いあまって外に飛び出してしまうような事態を確実に防ぐことができる。
【図面の簡単な説明】
【図１】本発明に係るパチンコ機の正面図である。
【図２】図１のパチンコ機の裏面図である。
【図３】下部球受皿の球出口部分の斜視図である。
【図４】球通路の底部部分を前側から見た斜視図である。
【図５】球通路の底部部分を裏側から見た斜視図である。
【図６】要部の縦断側面図である。
【符号の説明】
５          打球供給皿
６          下部球受皿
１４        パチンコ球払出装置
１５        球通路
１７        底部
１８        球出口
【図１】
0004066461.tif 000002
【図２】
0004066461.tif 000003
【図３】
0004066461.tif 000004
【図４】
0004066461.tif 000005
【図５】
0004066461.tif 000006
【図６】
0004066461.tif 000007